(57)【要約】【課題】段板周辺の構造物への振動伝達を抑制することのできる振動抑制部材及び階段構造を提供する。【解決手段】振動抑制部材１１は、振動板１２と、振動板１２と段板の裏面との間に配置され、振動板１２と段板とを離間させる中間部材１３と、段板の振動を振動板１２に伝達させる振動伝達部材１４とを備える。振動伝達部材１４は、段板に接続される段板接続部１４ａと、振動板１２に接続される振動板接続部１４ｂと、中間部材１３に貫通され、段板接続部１４ａと振動板接続部１４ｂとを連結する連結部１４ｃとを有する。階段構造は、複数の段板を備えている。複数の段板は、振動抑制部材１１が取り付けられた段板を含む。【選択図】図１
2015194061.tif 000002
【特許請求の範囲】
【請求項１】
階段構造の備える段板の裏面に取り付けられ、前記段板の振動を抑制する振動抑制部材であって、
振動板と、
前記振動板と前記段板の裏面との間に配置され、前記振動板と前記段板とを離間させる中間部材と、
前記段板の振動を前記振動板に伝達させる振動伝達部材と、を備え、
前記振動伝達部材は、
前記段板に接続される段板接続部と、
前記振動板に接続される振動板接続部と、
前記中間部材に貫通され、前記段板接続部と前記振動板接続部とを連結する連結部と、を有することを特徴とする振動抑制部材。
【請求項２】
前記振動板は、第１振動板と、第２振動板と、前記第１振動板と前記第２振動板との間に配置される制振シートと、を有する請求項１に記載の振動抑制部材。
【請求項３】
前記振動板接続部は、前記第１振動板、前記第２振動板、及び前記制振シートのいずれにも接続されている請求項２に記載の振動抑制部材。
【請求項４】
複数の段板を備え、前記複数の段板は、請求項１から請求項３のいずれか一項に記載の振動抑制部材が取り付けられた段板を含むことを特徴とする階段構造。
【請求項５】
前記振動抑制部材が取り付けられた段板の裏面輪郭形状は、
下階側から上階側へ登る際の上昇方向の手前側に配置される第１の辺と、
前記上昇方向の奥手側に配置される第２の辺と、
前記第１の辺の端部と前記第２の辺の端部とを接続する第３の辺とにより画定され、
前記段板接続部は、
前記第１の辺及び前記第２の辺のそれぞれを四等分する各等分点のうち、前記第１の辺及び前記第２の辺の各端部側にそれぞれ位置する四つの等分点により取り囲まれる領域に接続されている請求項４に記載の階段構造。
【請求項６】
前記階段構造は、直進で昇降される直進部分と、回り込むように昇降される非直進部分とを有し、
前記非直進部分を構成する複数の段板は、前記振動抑制部材が取り付けられた段板を含む請求項４又は請求項５に記載の階段構造。
【発明の詳細な説明】
【技術分野】
【０００１】
本発明は、段板の振動を抑制する振動抑制部材及びそれを備えた階段構造に関する。
【背景技術】
【０００２】
階段構造は、複数の段板と、これら段板を支持する支持部材とを備えている。（特許文献１参照）。
【先行技術文献】
【特許文献】
【０００３】
【特許文献１】特開２００７−３２１５００号公報
【発明の概要】
【発明が解決しようとする課題】
【０００４】
ところで、階段の通行者が階段を昇降する際に、段板が振動し、その振動が段板周辺の構造物へと伝達される。このように段板周辺の構造物へと伝達された振動は、居住者にとって不快な音として認識される場合がある。
【０００５】
本発明は、こうした実情に鑑みてなされたものであり、その目的は、段板周辺の構造物への振動伝達を抑制することのできる振動抑制部材及び階段構造を提供することにある。
【課題を解決するための手段】
【０００６】
上記課題を解決する振動抑制部材は、階段構造の備える段板の裏面に取り付けられ、前記段板の振動を抑制する振動抑制部材であって、振動板と、前記振動板と前記段板の裏面との間に配置され、前記振動板と前記段板とを離間させる中間部材と、前記段板の振動を前記振動板に伝達させる振動伝達部材と、を備え、前記振動伝達部材は、前記段板に接続される段板接続部と、前記振動板に接続される振動板接続部と、前記中間部材に貫通され、前記段板接続部と前記振動板接続部とを連結する連結部と、を有する。
【０００７】
この構成によれば、中間部材が段板と振動板とを離間させているため、振動板が振動した際に、その振動板と段板との接触が回避され易くなる。こうした中間部材には、振動伝達部材の連結部が貫通される。さらに、この連結部は、段板接続部と振動板接続部とを連結する。これにより、中間部材の位置が安定化されるとともに、段板から振動板へ連続した振動伝達経路が構成される。
【０００８】
上記振動抑制部材について、前記振動板は、第１振動板と、第２振動板と、前記第１振動板と前記第２振動板との間に配置される制振シートと、を有することが好ましい。
この構成によれば、段板の振動が終了した後の振動板の振動は、第１振動板と第２振動板との間の制振シートによって抑制される。これにより、例えば、振動板の振動が段板に伝達することで段板が再び振動し始めるといった段板の二次的振動が抑制される。
【０００９】
上記振動抑制部材について、前記振動板接続部は、前記第１振動板、前記第２振動板、及び前記制振シートのいずれにも接続されていることが好ましい。
この構成によれば、上記の振動板に段板の振動がより伝わり易くなる。
【００１０】
上記課題を解決する階段構造は、複数の段板を備え、前記複数の段板は、上記振動抑制部材が取り付けられた段板を含む。
この構成によれば、上述した振動抑制部材の作用が発揮される階段構造が提供される。
【００１１】
上記階段構造について、前記振動抑制部材が取り付けられた段板の裏面輪郭形状は、下階側から上階側へ登る際の上昇方向の手前側に配置される第１の辺と、前記上昇方向の奥手側に配置される第２の辺と、前記第１の辺の端部と前記第２の辺の端部とを接続する第３の辺とにより画定され、前記段板接続部は、前記第１の辺及び前記第２の辺のそれぞれを四等分する各等分点のうち、前記第１の辺及び前記第２の辺の各端部側にそれぞれ位置する四つの等分点により取り囲まれる領域に接続されていることが好ましい。
【００１２】
段板における上記領域は振動し易いため、この領域に振動伝達部材の段板接続部が接続されることで、段板から周辺の構造物への振動伝達がさらに抑制され易くなる。なお、上記領域に段板接続部が接続される階段構造は、一つの振動抑制部材が複数の段板接続部（振動伝達部材）を有する場合、少なくとも一つの段板接続部が上記領域に接続される態様も含む。また、一つの段板に対して複数の振動抑制部材が取り付けられる場合、複数の振動抑制部材の有する段板接続部のうち、少なくとも一つの段板接続部が上記領域に接続される態様も含む。
【００１３】
上記階段構造について、前記階段構造は、直進で昇降される直進部分と、回り込むように昇降される非直進部分とを有し、前記非直進部分を構成する複数の段板は、前記振動抑制部材が取り付けられた段板を含むことが好ましい。
【００１４】
上記の非直進部分を構成する段板は、直進部分を構成する段板よりも振動し易い傾向にある。このような非直進部分を構成する段板に上述した振動抑制部材が取り付けられることで、非直進部分を構成する段板周辺の構造物への振動伝達がさらに抑制され易くなる。
【発明の効果】
【００１５】
本発明によれば、段板周辺の構造物への振動伝達を抑制することができる。
【図面の簡単な説明】
【００１６】
【図１】（ａ）は実施形態の振動抑制部材を示す平面図であり、（ｂ）は振動抑制部材を示す正面図であり、（ｃ）は側面図である。
【図２】振動抑制部材が取り付けられた段板を示す部分正面図である。
【図３】階段構造を示す部分断面図である。
【図４】階段構造の一部を説明する概略側面図である。
【図５】階段構造の直進部分を構成する段板に対する振動抑制部材の取り付け位置を説明する説明図である。
【図６】階段構造の非直進部分を構成する段板に対する振動抑制部材の取り付け位置を説明する説明図である。
【図７】階段構造の非直進部分を構成する段板に対する振動抑制部材の取り付け位置を説明する説明図である。
【発明を実施するための形態】
【００１７】
以下、振動抑制部材及び階段構造の実施形態について図１〜図７を参照して説明する。
＜振動抑制部材＞
図１（ａ）〜図１（ｃ）に示すように、振動抑制部材１１は、振動板１２と、振動板１２と段板の裏面との間に配置される中間部材１３と、段板の振動を振動板１２に伝達させる振動伝達部材１４とを備えている。振動抑制部材１１は、階段構造の備える段板の裏面に取り付けられ、段板の振動を抑制する用途に用いられる。
【００１８】
振動板１２は、第１振動板１２ａと、第２振動板１２ｂと、第１振動板１２ａと第２振動板１２ｂとの間に配置される制振シート１２ｃとを有している。第１振動板１２ａ及び第２振動板１２ｂは、例えば、木質系材料、金属系材料及び樹脂系材料から選ばれる少なくとも一種から構成される。制振シート１２ｃは、例えば、樹脂系又はゴム系材料から構成される。本実施形態では、第１振動板１２ａ及び第２振動板１２ｂは、木質系材料から構成され、制振シート１２ｃは、ゴム系材料又はエラストマー系材料から構成される。本実施形態の制振シート１２ｃは、ブチル系ゴムシートである。第１振動板１２ａ、制振シート１２ｃ、及び第２振動板１２ｂは、例えば、接着層や粘着層により接合される。なお、粘着性を有する制振シート１２ｃを用いる場合は、その粘着性を利用して第１振動板１２ａ、制振シート１２ｃ、及び第２振動板１２ｂを接合することもできる。
【００１９】
図２に示すように、中間部材１３は、振動板１２と段板２１とを離間させる。この中間部材１３は、振動板１２に積層されるように配置されている。また、中間部材１３は、振動板１２の長手方向における両端部よりも内側に配置されている。中間部材１３を構成する材料としては、例えば、木質系材料、金属系材料、樹脂系材料、エラストマー系材料、及びゴム系材料が挙げられる。
【００２０】
振動伝達部材１４は、段板２１に接続される段板接続部１４ａと、振動板１２に接続される振動板接続部１４ｂと、中間部材１３に貫通され、段板接続部１４ａと振動板接続部１４ｂとを連結する連結部１４ｃとを有している。
【００２１】
段板接続部１４ａは、段板２１の踏み面の反対側の面となる裏面２１ａから段板２１に埋設される。振動板接続部１４ｂは、第１振動板１２ａ、第２振動板１２ｂ、及び制振シート１２ｃのいずれにも接続されている。
【００２２】
振動伝達部材１４としては、締結部材又は固定部材が挙げられる。締結部材としては、例えば、ビス、ねじ、及びボルトが挙げられる。固定部材としては、例えば釘が挙げられる。振動伝達部材１４は、金属系材料から構成されることが好ましい。
【００２３】
＜階段構造＞
図３に示すように、階段構造は、直進で昇降される直進部分３１と、回り込むように昇降される非直進部分３２とを有している。階段構造は、集合住宅や個人住宅等の多層住宅に設けられる。
【００２４】
直進部分３１及び非直進部分３２には、複数の段板２１が備えられている。複数の段板２１は、昇降される方向に沿って延在する取付部材４１に取り付けられている。取付部材４１は、段板２１の側端部が挿入される凹部を有する側桁であり、各段板２１の一側部に沿って設けられる第１取付部材４１ａと、各段板２１の他側部に沿って設けられる第２取付部材４１ｂから構成されている。各段板２１は、図示しない固定部材又は締結部材を用いて取付部材４１に固定されている。固定部材としては、例えば、楔、接着剤を用いた接着層、及び釘が挙げられる。締結部材としては、例えば、ビス、ねじ、及びボルトが挙げられる。
【００２５】
取付部材４１は、壁体５１に固定されている。本実施形態の階段構造では、昇降される方向の両側に位置する壁体５１のうち、第１取付部材４１ａが固定される側の壁体５１は、間柱６１を挟み込む二つの壁部５２，５２から構成される二重壁構造を有している。なお、第２取付部材４１ｂが固定される側の壁体５１は、一つの壁部５２から構成されている。
【００２６】
次に、段板２１における振動抑制部材１１の取り付け位置の詳細について説明する。段板２１は、階段構造の直進部分３１を構成する複数の第１段板２２と、階段構造の非直進部分３２を構成する複数の第２段板２３とを備えている。各第１段板２２は、略同一の形状（長四角形状）を有している。第２段板２３は、形状の異なる複数の第２段板２３から構成されている。第２段板２３は、第２下部段板２４と、第２上部段板２５と、第２下部段板２４と第２上部段板２５との間に配置される第２中間段板２６とから構成されている。
【００２７】
図４に階段構造の直進部分３１を一例として示すように、振動抑制部材１１は、段板２１の裏面２１ａから突出する蹴込板７１の近傍に設けられている。なお、蹴込板７１の上端部は、段板２１の裏面２１ａの有する溝部２１ｂに挿入され、図示しない固定部材又は締結部材で固定されている。
【００２８】
図５に示すように、第１段板２２の裏面輪郭形状は、階段を下階側から上階側へと登る際の上昇方向Ｄの手前側に配置される第１の辺Ｓ１と、上昇方向Ｄの奥手側に配置される第２の辺Ｓ２と、第１の辺Ｓ１の端部と第２の辺Ｓ２の端部とを接続する第３の辺Ｓ３とにより画定される。
【００２９】
図５には、第１の辺Ｓ１を四等分する各等分点を等分点Ｐ１ａ，Ｐ１ｂ，Ｐ１ｃで示している。また、第２の辺Ｓ２を四等分する各等分点を等分点Ｐ２ａ，Ｐ２ｂ，Ｐ２ｃで示している。そして、図５には、これら六つの等分点のうち、第１の辺Ｓ１及び第２の辺Ｓ２の各端部側にそれぞれ位置する四つの等分点Ｐ１ａ，Ｐ１ｃ，Ｐ２ａ，Ｐ２ｃによって取り囲まれる領域Ａをドットで示している。この四辺形の領域Ａに、振動伝達部材１４の段板接続部１４ａが接続されている。
【００３０】
図６に示すように、第２下部段板２４の裏面輪郭形状についても、第１段板２２と同様に、上昇方向Ｄの手前側に配置される第１の辺Ｓ１と、上昇方向Ｄの奥手側に配置される第２の辺Ｓ２と、第１の辺Ｓ１の端部と第２の辺Ｓ２の端部とを接続する第３の辺Ｓ３とにより画定されている。こうした第２下部段板２４においても、四つの等分点Ｐ１ａ，Ｐ１ｃ，Ｐ２ａ，Ｐ２ｃにより取り囲まれる領域Ａに、振動伝達部材１４の段板接続部１４ａが接続されている。
【００３１】
なお、第２上部段板２５の裏面輪郭形状は、第２下部段板２４における第２の辺Ｓ２を対称軸として線対称の形状を有している。こうした第２上部段板２５においても、領域Ａに、振動抑制部材１１の段板接続部１４ａが接続されている。
【００３２】
以下、第２上部段板２５については、第２下部段板２４と同様のことが言えるため、第２上部段板２５の説明については省略する。
図７に示すように、第２中間段板２６の裏面輪郭形状についても、第１段板２２と同様に、第１の辺Ｓ１と、第２の辺Ｓ２と、第３の辺Ｓ３とにより画定されている。但し、第２中間段板２６における第３の辺Ｓ３は、第１段板２２及び第２下部段板２４における第３の辺Ｓ３とは数が異なり、第１の辺Ｓ１の一端部と第２の辺Ｓ２との一端部とが二つの辺からなる第３の辺Ｓ３で接続されるとともに、第１の辺Ｓ１の他端部と第２の辺Ｓ２との他端部とが二つの辺からなる第３の辺Ｓ３で接続されている。こうした第２中間段板２６についても、四つの等分点Ｐ１ａ，Ｐ１ｃ，Ｐ２ａ，Ｐ２ｃにより取り囲まれる領域Ａに振動伝達部材１４の段板接続部１４ａが接続されている。
【００３３】
図５〜図７には、第１段板２２、第２下部段板２４、及び第２中間段板２６において、第１の辺Ｓ１に沿った方向をＸ方向で示し、このＸ方向に直交するとともに上昇方向Ｄの奥手側となる方向をＹ方向で示している。
【００３４】
本実施形態のように、振動抑制部材１１の長手方向は、Ｘ方向に沿って配置されることが好ましい。また、本実施形態のように、振動抑制部材１１は、蹴込板７１（溝部２１ｂ）と離間するとともに、Ｙ方向において第２の辺Ｓ２よりも蹴込板７１（溝部２１ｂ）に近い位置に配置されていることが好ましい。
【００３５】
また、本実施形態のように、振動抑制部材１１の中間部材１３は、平面視において第１の辺Ｓ１を二等分する等分点Ｐ１ｂと、第２の辺Ｓ２を二等分する等分点Ｐ２ｂとを結ぶ直線と重なる位置に配置されていることが好ましい。
【００３６】
また、本実施形態のように、振動抑制部材１１の中間部材１３は、平面視において上記領域Ａの範囲内に位置していることが好ましい。
また、本実施形態のように、振動抑制部材１１の長手方向の中央は、平面視において上記領域Ａの範囲内に位置していることが好ましく、振動抑制部材１１の全体が、平面視において上記領域Ａの範囲内に位置していることがより好ましい。
【００３７】
次に、振動抑制部材１１及び階段構造の作用について説明する。
振動抑制部材１１は、振動伝達部材１４の段板接続部１４ａが段板２１に接続されることで、段板２１に取り付けられる。また、複数の段板２１が取付部材４１に取り付けられることで階段構造が構築される。
【００３８】
階段を通行者が通過するとき、段板２１は、通行者により踏み込まれることで振動する。振動抑制部材１１が取り付けられた段板２１の振動は、段板接続部１４ａから連結部１４ｃ及び振動板接続部１４ｂを介して振動板１２に伝達される。このとき、中間部材１３が段板２１と振動板１２とを離間させているため、振動板１２が振動した際に、その振動板１２と段板２１との接触が回避され易くなる。こうした中間部材１３には、振動伝達部材１４の連結部１４ｃが貫通されている。さらに、この連結部１４ｃは、段板接続部１４ａと振動板接続部１４ｂとを連結している。これにより、中間部材１３の位置が安定化されるとともに、段板２１から振動板１２へ連続した振動伝達経路が構成される。
【００３９】
図５〜図７に示される第１段板２２、第２下部段板２４、及び第２中間段板２６における領域Ａは、階段の通行者によって踏み込まれ易い領域であるため、段板２１における振動の発生箇所になり易く、その振動が段板２１周辺の構造物へ伝達され易い。この点、本実施形態では、領域Ａに振動伝達部材１４の段板接続部１４ａが接続されている。このため、段板２１から段板２１周辺の構造物への振動伝達がさらに抑制され易くなる。
【００４０】
上述した実施形態によって発揮される効果について以下に記載する。
（１）振動抑制部材１１は、振動板１２と、段板２１の振動を振動板１２に伝達させる振動伝達部材１４とを備えている。振動伝達部材１４は、段板２１に接続される段板接続部１４ａと、振動板１２に接続される振動板接続部１４ｂとを有している。振動抑制部材１１は、振動板１２と段板２１の裏面２１ａとの間に配置される中間部材１３を備え、中間部材１３は、振動板１２と段板２１とを離間させている。このため、振動板１２が振動した際に、その振動板１２と段板２１との接触が回避され易くなる。こうした中間部材１３には、振動伝達部材１４の連結部１４ｃが貫通されている。さらに、この連結部１４ｃは、段板接続部１４ａと振動板接続部１４ｂとを連結している。これにより、中間部材１３の位置が安定化されるとともに、段板２１から振動板１２へ連続した振動伝達経路が構成される。これにより、段板２１の振動を減衰する振動板１２の作用が発揮され易くなる。従って、段板２１周辺の構造物（例えば、壁体５１等）への振動伝達を抑制することができる。
【００４１】
（２）振動板１２は、第１振動板１２ａと、第２振動板１２ｂと、第１振動板１２ａと第２振動板１２ｂとの間に配置される制振シート１２ｃとを有している。この場合、段板２１の振動が終了した後の振動板１２の振動は、制振シート１２ｃによって抑制される。これにより、例えば、振動板１２の振動が段板２１に伝達することで段板２１が再び振動し始めるといった段板２１の二次的振動が抑制される。従って、段板２１周辺の構造物への振動伝達をさらに抑制することができる。
【００４２】
（３）振動板接続部１４ｂは、第１振動板１２ａ、第２振動板１２ｂ、及び制振シート１２ｃのいずれにも接続されている。この場合、振動板１２に段板２１の振動がより伝わり易くなるため、第１振動板１２ａ、第２振動板１２ｂ、及び制振シート１２ｃを有する振動板１２による段板２１の振動を減衰する作用がより発揮され易くなる。従って、段板２１周辺の構造物への振動伝達をさらに抑制することができる。
【００４３】
（４）階段構造は、複数の段板２１を備える。複数の段板２１は、振動抑制部材１１が取り付けられた段板２１を含む。この階段構造によれば、振動抑制部材１１が取り付けられた段板２１に基づき、段板２１周辺の構造物への振動伝達を抑制することができる。
【００４４】
（５）振動抑制部材１１が取り付けられた段板２１の裏面輪郭形状は、第１の辺Ｓ１と、第２の辺Ｓ２と、第３の辺Ｓ３とにより画定されている。段板接続部１４ａは、第１の辺Ｓ１及び第２の辺Ｓ２の各端部側にそれぞれ位置する四つの等分点Ｐ１ａ，Ｐ１ｃ，Ｐ２ａ，Ｐ２ｃにより取り囲まれる領域Ａに接続されている。段板２１の領域Ａは振動し易いため、この領域Ａに振動伝達部材１４の段板接続部１４ａが接続されることで、段板２１から周辺の構造物への振動伝達がさらに抑制され易くなる。本実施形態の振動抑制部材１１は、複数の振動伝達部材１４を備え、それらすべての振動伝達部材１４の段板接続部１４ａが上記の領域Ａに接続されているが、少なくとも一つの段板接続部１４ａが領域Ａに接続されてもよい。この場合であっても、領域Ａから振動板１２へ振動が伝わり易くなるため、段板２１から周辺の構造物への振動伝達がさらに抑制され易くなる。
【００４５】
（６）階段構造は、直進部分３１と非直進部分３２とを有し、非直進部分３２を構成する複数の第２段板２３は、振動抑制部材１１が取り付けられた第２段板２３を含む。ここで、非直進部分３２を構成する第２段板２３は、直進部分３１を構成する第１段板２２よりも振動し易い傾向にある。このような第２段板２３に上述した振動抑制部材１１が取り付けられることで、非直進部分３２を構成する段板周辺の構造物への振動伝達がさらに抑制され易くなる。
【００４６】
（変更例）
上記実施形態を次のように変更して構成してもよい。
・振動抑制部材１１は、直進部分３１を構成する第１段板２２のみに取り付けられてもよいし、非直進部分３２を構成する第２段板２３（第２下部段板２４、第２中間段板２６、又は第２上部段板２５）のみに取り付けられてもよい。
【００４７】
・前記振動抑制部材１１は、階段構造を構成する段板２１のすべてに取り付けられているが、振動抑制部材１１は、階段構造を構成する段板２１のうち、少なくとも一つの段板２１に取り付けて用いることができる。
【００４８】
・前記振動板接続部１４ｂは、振動板１２のいずれの層（第１振動板１２ａの層、第２振動板１２ｂの層、及び制振シート１２ｃの層）にも接続されている。例えば、振動板接続部１４ｂは、振動板１２を構成する層のうち、中間部材１３側に配置される層（例えば、第１振動板１２ａ、又は、第１振動板１２ａと制振シート１２ｃ）のみに接続されてもよい。但し、振動板接続部１４ｂは、振動板１２に振動が伝達され易くなるという観点から、振動板１２を構成する層のうち、最も中間部材１３側に配置される層を貫通していることが好ましい。
【００４９】
・前記振動板１２は、三層構造を有しているが、例えば、一層から構成されてよいし、二層又は四層以上の積層構造に変更されてもよい。振動板１２の変更例としては、第１振動板１２ａ及び第２振動板１２ｂの一方と制振シート１２ｃとの二層を含む構造、第１振動板１２ａと第２振動板１２ｂとの二層を含む構造、並びに、第１振動板１２ａ及び第２振動板１２ｂのいずれか一方の一層を含む構造が挙げられる。
【００５０】
・振動板１２には、例えば、粘着層、接着層、両面テープ等の他の層が介在されていてもよい。
・上記実施形態の中間部材１３は、振動板１２の長手方向の中央部分に積層されているが、振動板１２の長手方向の一端側に偏倚した位置に積層されてもよい。
【００５１】
・前記振動板１２の外形は、長四角形状であるが、他の形状に変更されてもよい。但し、振動板１２は、長手方向を有する形状であることが好ましく、中間部材１３の両側方へ突出する形状であることがさらに好ましい。
【００５２】
・中間部材１３は、振動板１２（例えば、第１振動板１２ａ）と一体に構成されていてもよい。
・振動抑制部材１１は、複数の中間部材１３を備えていてもよい。
【００５３】
・前記振動抑制部材１１は、複数の振動伝達部材１４を備えているが、振動伝達部材１４の数は特に限定されず、単数であってもよい。例えば、一つの振動伝達部材１４を有する振動抑制部材１１においても、段板接続部１４ａが領域Ａに接続されることが好ましい。
【００５４】
・上記実施形態における複数の振動抑制部材１１のうち、少なくとも一つの振動抑制部材１１は、領域Ａ以外に段板接続部１４ａが接続されて取り付けられるように変更されてもよい。例えば、前記階段構造は、領域Ａに接続される段板接続部１４ａを有しない振動抑制部材１１を備えた階段構造に変更されてもよい。
【００５５】
・段板２１の外形寸法や厚み寸法は、適宜変更することができる。
・前記第２段板２３は、上昇方向Ｄの内周側に位置する第３の辺Ｓ３を有しているが、その第３の辺Ｓ３を省略した裏面輪郭形状を有する第２段板に変更されもてよい。すなわち、この変更例の第２段板は、上昇方向Ｄの外周側に位置する第３の辺Ｓ３を有する一方で、上昇方向Ｄの内周側は第１の辺Ｓ１の端部と第２の辺Ｓ２の端部との接続部を有する。
【００５６】
・段板２１の取付構造は限定されず、例えば、取付部材４１は、段板２１毎に設けられる取付部材に変更されてもよい。また、取付部材４１の形状や取付部材４１において段板２１を支持する位置は、適宜変更されてもよい。
【００５７】
・取付部材４１は、壁体５１と同一平面を形成するように配置されてもよい。
・壁体５１の構造は、特に限定されず、適宜変更されてもよい。例えば、壁体５１を構成する壁部５２の数は、適宜変更されてもよい。
【００５８】
・階段構造において、蹴込板７１は省略されてもよい。また、階段構造は、第１取付部材４１ａ及び第２取付部材４１ｂの一方を省略した片持ちの階段構造であってもよい。
・前記階段構造は、直進部分３１と非直進部分３２とを有しているが、直進部分３１のみ、又は、非直進部分３２のみから構成した階段構造に変更されてもよい。非直進部分３２のみから構成した階段構造の場合、第２段板２３の有する第３の辺Ｓ３の数は、特に限定されず、例えば、第３の辺Ｓ３の数が異なる第２段板２３を組み合わせて構成することもできる。また、上記実施形態の非直進部分３２は、９０°の角度で回り込むに構成されているが、例えば、１８０°の角度等、９０°以外の角度で回り込むように構成されてもよい。
【符号の説明】
【００５９】
１１…振動抑制部材、１２…振動板、１２ａ…第１振動板、１２ｂ…第２振動板、１２ｃ…制振シート、１３…中間部材、１４…振動伝達部材、１４ａ…段板接続部、１４ｂ…振動板接続部、１４ｃ…連結部、２１…段板、２１ａ…裏面、２１ｂ…溝部、２２…第１段板、２３…第２段板、２４…第２下部段板、２５…第２上部段板、２６…第２中間段板、３１…直進部分、３２…非直進部分、４１…取付部材、４１ａ…第１取付部材、４１ｂ…第２取付部材、５１…壁体、５２…壁部、６１…間柱、７１…蹴込板、Ａ…領域、Ｄ…上昇方向、Ｓ１…第１の辺、Ｓ２…第２の辺、Ｓ３…第３の辺、Ｐ１ａ，Ｐ１ｂ，Ｐ１ｃ…第１の辺の等分点、Ｐ２ａ，Ｐ２ｂ，Ｐ２ｃ…第２の辺の等分点。
【図１】
2015194061.tif 000003
【図２】
2015194061.tif 000004
【図３】
2015194061.tif 000005
【図４】
2015194061.tif 000006
【図５】
2015194061.tif 000007
【図６】
2015194061.tif 000008
【図７】
2015194061.tif 000009